(57)【要約】      （修正有）【課題】雄ネジボルト体を屋根材又は外壁材に強固に固定することができる雄ネジボルト体取付構造を提供する。【解決手段】雄ネジボルト体取付構造は、屋根材１に設けた穴を介して雄ネジボルト体１０を取り付ける雄ネジボルト体取付構造であって、第１のナット１６を押さえ部材１５に向かって押さえ部材１５を押しつけて、押さえ部材１５、第１のシール材１４、第２の部材１２を介して第２の部材１２の先端で第１の部材１１に拡開部１１Ａを形成し、押さえ部材１５と第１の部材１１の拡開部１１Ａにより屋根材１に設けた穴に雄ネジボルト体１０を強固に保持させるものである。【選択図】図１
0003157068.tif 000002
【実用新案登録請求の範囲】
【請求項１】
屋根材又は外壁材に設けた穴を介して雄ネジボルト体を取り付ける雄ネジボルト体取付構造であって、
前記雄ネジボルト体は、前記屋根材又は前記外壁材に設けた穴に貫通して取り付けられると共に、外周に雄ネジを有し、先端にストッパーを有するものであり、
一端は前記ストッパーに係止し、他端は前記屋根材又は前記外壁材に向かって拡開した拡開部を有すると共に、該拡開部の先端が前記屋根材又は前記外壁材の穴の裏面の周辺部に当接する第１の部材を備え、
この第１の部材は、前記第１の部材に設けた穴部を介して前記雄ネジボルト体に取り付けられると共に、前記屋根材又は前記外壁材に設けた穴の下方に位置し、
一端は前記屋根材又は前記外壁材に設けた穴より上に位置する鍔部を有すると共に、他端は前記屋根材又は前記外壁材に設けた穴より下に位置する第２の部材を備え、
この第２の部材は、前記第２の部材に設けた穴部を介して前記雄ネジボルト体に取り付けられると共に、前記第２の部材の他端は、前記第１の部材の内壁に進入して前記第１の部材を拡径させる部位であり、
前記鍔部の下に当接し、前記屋根材又は前記外壁材に設けた穴の周囲を覆うカバーを備え、このカバーは、前記カバーに設けた穴部を介して前記雄ネジボルト体に取り付けられ、
このカバー及び前記鍔部の上に位置する第１のシール材を備え、この第１のシール材は、前記第１のシール材に設けた穴部を介して前記雄ネジボルト体に取り付けられ、
前記第１のシール材の上に位置し、前記第１のシール材を押さえる押さえ部材を備え、この押さえ部材は、前記押さえ部材に設けた穴部を介して前記雄ネジボルト体に取り付けられ、
前記押さえ部材を押しつけて前記押さえ部材と前記第１の部材の拡開部により前記屋根材又は前記外壁材に設けた穴に前記雄ネジボルト体を保持させる第１のナットを備え、    この第１のナットは、前記雄ネジボルト体の雄ネジに螺合して前記雄ネジボルト体に取り付けられている
ことを特徴とする雄ネジボルト体取付構造。
【請求項２】
屋根材又は外壁材とカバーの間であって、前記屋根材又は前記外壁材に設けた穴の周囲に設けられた水の侵入を阻止するシール部材を備えている
ことを特徴とする請求項１記載の雄ネジボルト体取付構造。
【請求項３】
屋根材は、断面が上に凸である略台形状である第１の台形形状部を有したものであり、
カバーは、前記屋根材の第１の略台形形状部を覆う断面が上に凸である略台形状である第２の台形形状部を有したものである
ことを特徴とする請求項１又は請求項２記載の雄ネジボルト体取付構造。
【請求項４】
第１のナットの上に位置した第１のワッシャーを備え、この第１のワッシャーは、前記第１のワッシャーに設けた穴部を介して雄ネジボルト体に取り付けられ、
前記第１のワッシャーの上に位置した第２のワッシャーを備え、この第２のワッシャーは、前記第２のワッシャーに設けた穴部を介して前記雄ネジボルト体に取り付けられ、
前記第２のワッシャーの上に位置すると共に、前記第２のワッシャーに当接して前記第２のワッシャーを押しつける第２のナットを備え、この第２のナットは、前記雄ネジボルト体の雄ネジに螺合して前記雄ネジボルト体に取り付けられ、
前記第１のワッシャーと前記第２のワッシャーとの間で被挟持部材を挟持する
ことを特徴とする請求項１記載の雄ネジボルト体取付構造。
【請求項５】
第１のワッシャーと第２のワッシャーとの間の雄ネジボルト体の部位を覆う覆い部材を備え、この覆い部材は、前記覆い部材に設けた穴部を介して前記雄ネジボルト体に取り付けられている
ことを特徴とする請求項４記載の雄ネジボルト体取付構造。
【請求項６】
第１のナットの上に位置した第１のワッシャーを備え、この第１のワッシャーは、前記第１のワッシャーに設けた穴部を介して雄ネジボルト体に取り付けられ、
前記第１のワッシャーの上に位置した第２のワッシャーを備え、この第２のワッシャーは、前記第２のワッシャーに設けた穴部を介して前記雄ネジボルト体に取り付けられ、
前記第２のワッシャーの上に位置すると共に、前記第２のワッシャーに当接して前記第２のワッシャーを押しつける第２のナットを備え、この第２のナットは、前記雄ネジボルト体の雄ネジに螺合して前記雄ネジボルト体に取り付けられ、
前記第１のワッシャーと前記第２のワッシャーとの間でネットを挟持する
ことを特徴とする請求項１記載の雄ネジボルト体取付構造。
【請求項７】
ネットは、網状であり、
第１のワッシャーと第２のワッシャーとの間の雄ネジボルト体の部位を覆う覆い部材を備え、この覆い部材は、前記覆い部材に設けた穴部を介して前記雄ネジボルト体に取り付けられている
ことを特徴とする請求項６記載の雄ネジボルト体取付構造。
【考案の詳細な説明】
【技術分野】
【０００１】
本考案は、雄ネジボルト体取付構造に係り、特に、雄ネジボルト体を屋根材又は外壁材に強固に固定することができる雄ネジボルト体取付構造に関する。
【背景技術】
【０００２】
従来、屋根に網状のネットを張って、太陽光からの熱の伝達を阻害するようにしたものがある（例えば、特許文献参照）。
これは、屋根に取り付けられた取付部材と網状のネットを紐を介して接続すると共に、屋根に突出して取り付けられた棒状の複数の突出物に網状のネットの網目を挿入して、網状のネットを突出物に係止するようにしたものである。
【先行技術文献】
【特許文献】
【０００３】
【特許文献１】特開２００８−１９６２８２号公報
【考案の概要】
【考案が解決しようとする課題】
【０００４】
しかしながら、上述のように屋根に突出物があればともかく、突出物がない場合、屋根に突出物を形成しなければならず、
かかる場合、屋根に穴を開け、該穴を介して突出物を固定しなければならないと共に、雨水の侵入をも阻止しなければならないという問題点があった。
【０００５】
本考案は、上記の問題点を除去するようにした雄ネジボルト体取付構造を提供することを目的とする。
【課題を解決するための手段】
【０００６】
請求項１記載の雄ネジボルト体取付構造は、屋根材又は外壁材に設けた穴を介して雄ネジボルト体を取り付ける雄ネジボルト体取付構造であって、前記雄ネジボルト体は、前記屋根材又は前記外壁材に設けた穴に貫通して取り付けられると共に、外周に雄ネジを有し、先端にストッパーを有するものであり、一端は前記ストッパーに係止し、他端は前記屋根材又は前記外壁材に向かって拡開した拡開部を有すると共に、該拡開部の先端が前記屋根材又は前記外壁材の穴の裏面の周辺部に当接する第１の部材を備え、この第１の部材は、前記第１の部材に設けた穴部を介して前記雄ネジボルト体に取り付けられると共に、前記屋根材又は前記外壁材に設けた穴の下方に位置し、一端は前記屋根材又は前記外壁材に設けた穴より上に位置する鍔部を有すると共に、他端は前記屋根材又は前記外壁材に設けた穴より下に位置する第２の部材を備え、この第２の部材は、前記第２の部材に設けた穴部を介して前記雄ネジボルト体に取り付けられると共に、前記第２の部材の他端は、前記第１の部材の内壁に進入して前記第１の部材を拡径させる部位であり、前記鍔部の下に当接し、前記屋根材又は前記外壁材に設けた穴の周囲を覆うカバーを備え、このカバーは、前記カバーに設けた穴部を介して前記雄ネジボルト体に取り付けられ、このカバー及び前記鍔部の上に位置する第１のシール材を備え、この第１のシール材は、前記第１のシール材に設けた穴部を介して前記雄ネジボルト体に取り付けられ、前記第１のシール材の上に位置し、前記第１のシール材を押さえる押さえ部材を備え、この押さえ部材は、前記押さえ部材に設けた穴部を介して前記雄ネジボルト体に取り付けられ、前記押さえ部材を押しつけて前記押さえ部材と前記第１の部材の拡開部により前記屋根材又は前記外壁材に設けた穴に前記雄ネジボルト体を保持させる第１のナットを備え、この第１のナットは、前記雄ネジボルト体の雄ネジに螺合して前記雄ネジボルト体に取り付けられているものである。
【０００７】
また、請求項２記載の雄ネジボルト体取付構造は、請求項１記載の雄ネジボルト体取付構造において、屋根材又は外壁材とカバーの間であって、前記屋根材又は前記外壁材に設けた穴の周囲に設けられた水の侵入を阻止するシール部材を備えているものである。
【０００８】
また、請求項３記載の雄ネジボルト体取付構造は、請求項１又は請求項２記載の雄ネジボルト体取付構造において、屋根材は、断面が上に凸である略台形状である第１の台形形状部を有したものであり、カバーは、前記屋根材の第１の略台形形状部を覆う断面が上に凸である略台形状である第２の台形形状部を有したものである。
【０００９】
また、請求項４記載の雄ネジボルト体取付構造は、請求項１記載の雄ネジボルト体取付構造において、第１のナットの上に位置した第１のワッシャーを備え、この第１のワッシャーは、前記第１のワッシャーに設けた穴部を介して雄ネジボルト体に取り付けられ、前記第１のワッシャーの上に位置した第２のワッシャーを備え、この第２のワッシャーは、前記第２のワッシャーに設けた穴部を介して前記雄ネジボルト体に取り付けられ、前記第２のワッシャーの上に位置すると共に、前記第２のワッシャーに当接して前記第２のワッシャーを押しつける第２のナットを備え、この第２のナットは、前記雄ネジボルト体の雄ネジに螺合して前記雄ネジボルト体に取り付けられ、前記第１のワッシャーと前記第２のワッシャーとの間で被挟持部材を挟持するものである。
【００１０】
また、請求項５記載の雄ネジボルト体取付構造は、請求項４記載の雄ネジボルト体取付構造において、第１のワッシャーと第２のワッシャーとの間の雄ネジボルト体の部位を覆う覆い部材を備え、この覆い部材は、前記覆い部材に設けた穴部を介して前記雄ネジボルト体に取り付けられているものである。
【００１１】
また、請求項６記載の雄ネジボルト体取付構造は、請求項１記載の雄ネジボルト体取付構造において、第１のナットの上に位置した第１のワッシャーを備え、この第１のワッシャーは、前記第１のワッシャーに設けた穴部を介して雄ネジボルト体に取り付けられ、前記第１のワッシャーの上に位置した第２のワッシャーを備え、この第２のワッシャーは、前記第２のワッシャーに設けた穴部を介して前記雄ネジボルト体に取り付けられ、前記第２のワッシャーの上に位置すると共に、前記第２のワッシャーに当接して前記第２のワッシャーを押しつける第２のナットを備え、この第２のナットは、前記雄ネジボルト体の雄ネジに螺合して前記雄ネジボルト体に取り付けられ、前記第１のワッシャーと前記第２のワッシャーとの間でネットを挟持するものである。
【００１２】
また、請求項７記載の雄ネジボルト体取付構造は、請求項６記載の雄ネジボルト体取付構造において、ネットは、網状であり、第１のワッシャーと第２のワッシャーとの間の雄ネジボルト体の部位を覆う覆い部材を備え、この覆い部材は、前記覆い部材に設けた穴部を介して前記雄ネジボルト体に取り付けられているものである。
【考案の効果】
【００１３】
請求項１記載の雄ネジボルト体取付構造によれば、屋根材又は外壁材に設けた穴に雄ネジボルト体を入れて、屋根材又は外壁材の外側から作業することができ、つまり、第１のナットを押さえ部材に向かって押さえ部材を押しつけて、前記押さえ部材、第１のシール材、第２の部材を介して第２の部材の先端で第１の部材に拡開部を形成し、押さえ部材と第１の部材の拡開部により屋根材に設けた穴に雄ネジボルト体を強固に保持させることができ、
しかも、鍔部の下に当接し、屋根材又は外壁材に設けた穴の周囲を覆うカバーにより、雨水の浸入を防ぐことができる。
【００１４】
また、請求項２記載の雄ネジボルト体取付構造によれば、上述した請求項１記載の考案の効果に加え、屋根材又は外壁材とカバーの間であって、前記屋根材又は前記外壁材に設けた穴の周囲に設けられた水の侵入を阻止するシール部材を備えているため、屋根材又は外壁材に設けた穴への水の浸入をより阻止することができ、
しかも、カバーにより太陽光からのシール部材の劣化をも防ぐことができる。
【００１５】
また、請求項３記載の雄ネジボルト体取付構造によれば、上述した請求項１又は請求項２記載の考案の効果に加え、屋根材の断面が上に凸である略台形状である第１の台形形状部を有したものの場合、カバーの第２の台形形状部で屋根材の第１の略台形形状部を覆うため、カバーと屋根材との間への水の浸入をより阻止することができると共に、設置が安定する。
【００１６】
また、請求項４記載の雄ネジボルト体取付構造によれば、上述した請求項１記載の考案の効果に加え、強固に立設保持した雄ネジボルト体に取り付けられた第１のワッシャーと第２のワッシャーとの間で被挟持部材を強固に挟持することができる。
【００１７】
また、請求項５記載の雄ネジボルト体取付構造によれば、上述した請求項４記載の考案の効果に加え、第１のワッシャーと第２のワッシャーとの間の雄ネジボルト体の部位を覆う覆い部材を備え、この覆い部材は、前記覆い部材に設けた穴部を介して前記雄ネジボルト体に取り付けられているため、被挟持部材が雄ネジボルト体に接触するのを防いで、被挟持部材の損傷を防ぐことができる。
【００１８】
また、請求項６記載の雄ネジボルト体取付構造によれば、上述した請求項１記載の考案の効果に加え、強固に立設保持した雄ネジボルト体に取り付けられた第１のワッシャーと第２のワッシャーとの間でネットを強固に挟持することができる。
【００１９】
また、請求項７記載の雄ネジボルト体取付構造によれば、上述した請求項６記載の考案の効果に加え、第１のワッシャーと第２のワッシャーとの間の雄ネジボルト体の部位を覆う覆い部材を備え、この覆い部材は、前記覆い部材に設けた穴部を介して前記雄ネジボルト体に取り付けられているため、網状のネットが雄ネジボルト体に接触するのを防いで、被挟持部材の網部の損傷を防ぐことができる。
【図面の簡単な説明】
【００２０】
【図１】図１は、本考案の一実施例の屋根材へ取り付けられた雄ネジボルト体取付構造の概略的断面図である。
【図２】図２は、図１の概略的底面図である。
【図３】図３は、図１の屋根材へ取り付けられる前の雄ネジボルト体取付構造の概略的断面図である。
【図４】図４は、図３の雄ネジボルト体取付構造を分解して示す概略的分解図である。
【図５】図５は、図１の屋根材へ取り付けられた雄ネジボルト体取付構造を分解して示す概略的分解図である。
【図６】図６は、図５の雄ネジボルト体の先端を屋根材に設けた穴に入れ、雄ネジボルト体を屋根材に取り付ける状態の概略的断面図である。
【図７】図７は、図６の雄ネジボルト体を屋根材に設けた穴に取り付け、第１のナットにより締め付ける状態の概略的断面図である。
【図８】図８は、図１の屋根材への雄ネジボルト体取付構造を屋根材の上に設けるネットの取り付けに適用した状態の概略的断面図である。
【図９】図９は、図８の概略的平面図である。
【図１０】図１０は、図８を分解して示す概略的分解図である。
【図１１】図１１は、図８のネットを第１のワッシャと第２のワッシャとで挟持する前の状態の概略的断面図である。
【考案を実施するための形態】
【００２１】
本考案の一実施例の雄ネジボルト体取付構造を図面を参照して説明する。
図１に示す１は屋根材で、屋根材１の上には、雄ネジボルト体取付構造によって、網状のネット、例えば、網状の遮光ネット２が取り付けられるようになっている（図８〜図１１参照）。
雄ネジボルト体取付構造は、図１〜図２、図５〜図７に示すように、屋根材１（又は図示しない外壁材）に設けた穴１ａを介して雄ネジボルト体１０を取り付けるもので、雄ネジボルト体１０には、概略的に、第１の部材１１、第２の部材１２、カバー７、第１のシール材１４、押さえ部材１５、第１のナット１６等が取り付けられる。
【００２２】
雄ネジボルト体１０は、屋根材１（又は図示しない外壁材）に設けた穴１ａに貫通して取り付けられると共に、外周に雄ネジ１０ａ、１０ｂを有し、先端にストッパー１０ｃを有する。
また、第１の部材１１は、上部に開口する複数のスリット１１ａを有した略筒体であるが、
雄ネジボルト体１０が屋根材１（又は図示しない外壁材）に設けた穴１ａに貫通して取り付けられた状態にあっては、図１に示すように、第１の部材１１の一端はストッパー１０ｃに係止し、第１の部材１１の他端は屋根材１（又は図示しない外壁材）に向かって拡開した拡開部１１Ａを有すると共に、該拡開部１１Ａの先端が屋根材１（又は図示しない外壁材）の穴１ａの裏面の周辺部に当接している。
なお、第１の部材１１は、第１の部材１１に設けた穴部１１ｂを介して雄ネジボルト体１１に取り付けられると共に、屋根材１（又は図示しない外壁材）に設けた穴１ａの下方に位置し、第１の部材１１に設けた穴部１１ｂを介して雄ネジボルト１０に取り付けられると共に、屋根材１に設けた穴１ａの下方に位置し、また、拡開部１１Ａは、第２の部材１２の他端が第１の部材１１の内壁に当接すると共に、第１のナット１６の締め付けによる第２の部材１２の下方への移動により、複数のスリット１１ａを有した略筒体の上部が拡開して形成される。
【００２３】
また、第２の部材１２は、第２の部材１２に設けた穴部１２ｂを介して雄ネジボルト体１０に取り付けられると共に、第２の部材１２の他端は、第１の部材１１の内壁に進入して第１の部材１１を拡径させる部位となっている。第２の部材１２の一端は屋根材１（又は図示しない外壁材）に設けた穴１ａより上に位置する鍔部１２ａを有すると共に、第２の部材１２の他端は屋根材１（又は図示しない外壁材）に設けた穴１ａより下に位置するようになっている。
【００２４】
また、図１、図５〜図７に示す７は、鍔部１２ａの下に当接し、屋根材１（又は図示しない外壁材）に設けた穴の周囲を覆うカバーで、このカバー７は、カバー７に設けた穴部７ａを介して雄ネジボルト体１０に取り付けられている。
なお、カバー７は、平坦なプレート状でも良いが、屋根材１の第１の略台形形状部１Ａの場合、第１の略台形形状部１Ａを覆う断面が上に凸である略台形状である第２の台形形状部７Ａに形成されているのが望ましい。
【００２５】
また、図５に示す８は、水の侵入を阻止するシール部材で、シール部材８は、図５において、カバー７の裏面に塗布されているが、図示しないが、屋根材１に設けた穴１ａの周囲にシール部材８を塗布するようにしても良い。
何れにしても、シール部材８は、図１に示すように、屋根材１とカバー７の間であって、屋根材１に設けた穴１ａの周囲に設けられた水の侵入を阻止するようになっていれば良い。
その結果、鍔部１２ａ、カバー７及びシール部材８により、屋根材１に設けた穴１ａへの水の浸入を阻止することができると共に、シール部材８がカバー７により太陽光から遮蔽されるため、シール部材８の劣化をも防ぐことができる。
更に、屋根材１が断面が上に凸である略台形状である第１の台形形状部１Ａを有したものの場合、カバー７の第２の台形形状部７Ａで屋根材１の第１の略台形形状部１Ａを覆うため、カバー７と屋根材１との間への水の浸入をより阻止することができると共に、設置が安定する。
【００２６】
また、図２〜図５に示す１４は、カバー７及び鍔部１２ａの上に位置する第１のシール材で、第１のシール材１４は、第１のシール材１４に設けた穴部１４ａを介して雄ネジボルト１１に取り付けられている。
また、１５は、第１のシール材１４の上に位置し、第１のシール材１４を押さえる押さえ部材で、この押さえ部材１５は、押さえ部材１５に設けた穴部１５ａを介して雄ネジボルト体１０に取り付けられている。
【００２７】
また、１６は押さえ部材１５を押しつけて押さえ部材１５と第１の部材１２の拡開部１２Ａにより屋根材１（又は図示しない外壁材）に設けた穴１ａに雄ネジボルト１０を立設保持させる第１のナットで、この第１のナット１６は、雄ネジボルト１０の雄ネジ１０ｂに螺合して雄ネジボルト１０に取り付けられている。
【００２８】
従って、屋根材１（又は外壁材）に設けた穴１ａを設ければ、図５及び図６に示すように、穴１ａに雄ネジボルト１０を入れて、屋根材１（又は外壁材）の外側から作業することができ、つまり、第１のナット１６を押さえ部材１５に向かって押さえ部材１５を押しつけて、押さえ部材１５、第１のシール材１４、第２の部材１２を介して第２の部材１２の先端で第１の部材１１に拡開部１１Ａを形成し（図７参照）、押さえ部材１５と第１の部材１１の拡開部１１Aにより屋根材１（又は外壁材）に設けた穴１ａに雄ネジボルト体１０を強固に保持させることができ（図１参照）、
しかも、鍔部１２ａの下に当接し、屋根材１（又は外壁材）に設けた穴１ａの周囲を覆うカバー７により、雨水の浸入を防ぐことができる。
【００２９】
次に、上述した雄ネジボルト体取付構造を使って被挟持部材（例えば、ネット２、より詳しくは、網状のネット２を挟持する実施例について、図８〜図１１を参照して、以下説明する。上述した実施例と同一部分に同一符号を付して、その説明を一部省略する。
３は、第１のナット１６の上に位置した第１のワッシャーで、この第１のワッシャー３は、第１のワッシャー３に設けた穴部を介して雄ネジボルト体１０に取り付けられている。
また、図８に示す４は、第１のワッシャー３の上に位置する第２のワッシャーで、この第２のワッシャー４は、第２のワッシャー４に設けた穴部を介して雄ネジボルト体１０に取り付けられている。
また、９は、第１のワッシャー３と第２のワッシャー４との間の雄ネジボルト体１０の部位を覆う覆い部材で、この覆い部材９は、覆い部材９に設けた穴部を介して雄ネジボルト体１０に取り付けられている。覆い部材９は、例えば、押さえ付けられる前は、図１０及び図１１に示す筒形状であるが、締め付けられると図８に示すように変形する。
また、５は、第２のワッシャー４の上に位置すると共に、第２のワッシャー４に当接して第２のワッシャー４を押しつける第２のナットで、この第２のナット５は、雄ネジボルト体１０の雄ネジ１０ｂに螺合して雄ネジボルト体１０に取り付けられている。
また、６は、第２のナット５の上に位置する第３のナットで、第３のナット６は第２のナット５の緩みを防止するものである。
従って、ネット２の網部は、覆い部材９の外周に位置すると共に、第１のワッシャー３と第２のワッシャー４との間で挟持され、ネット２の網部が強固に挟持されることができ、更に、第１のワッシャー３と第２のワッシャー４の間の雄ネジボルト体１０の部位を覆い部材９により覆うため、ネット２の網部が雄ネジボルト体１０に接触するのを防いで、ネット２の網部の損傷をも防ぐことができる。
【符号の説明】
【００３０】
１      屋根材
１ａ    穴
１０    雄ネジボルト体
１５    押さえ部材
１６    第１のナット
【図１】
0003157068.tif 000003
【図２】
0003157068.tif 000004
【図３】
0003157068.tif 000005
【図４】
0003157068.tif 000006
【図５】
0003157068.tif 000007
【図６】
0003157068.tif 000008
【図７】
0003157068.tif 000009
【図８】
0003157068.tif 000010
【図９】
0003157068.tif 000011
【図１０】
0003157068.tif 000012
【図１１】
0003157068.tif 000013